(57)【要約】【課題】  光ディスクの視認が可能な光ディスク装置のカバー可視化部からのレーザ光またはその散乱光の漏えいを極力抑制することを可能とする。【解決手段】  光ディスク１を覆うカバー４の可視化部５を光ピックアップ２の支持ガイド３による稼動範囲を避けるように配置する。この構成により、光ディスクが装着されていない場合のローディング動作において、光ディスク判別のためのレーザ発光によるレーザ光またはその散乱光が光ディスク装置のカバー４の可視化部５を通しての外部への漏えいが小さくなる。【選択図】        図１
2005116018.tif 000002
【特許請求の範囲】
【請求項１】
光ディスクに情報を記録、もしくは前記光ディスクに記録された情報を再生するための光ピックアップを備え、前記光ピックアップが前記光ディスクの半径方向に稼動可能なスライダに備えられ、レーザ発光方向に対し垂直な面を持つ前記光ディスク全面を覆うカバーを備えた光ディスク装置において、前記光ディスクの視認のために、前記カバーの一部が可視化されており、前記カバーの前記可視化部分が、前記レーザ発光部を備える前記スライダの稼動範囲外に配置されていることを特徴とする光ディスク装置。
【請求項２】
光ディスクに情報を記録、もしくは前記光ディスクに記録された情報を再生するための光ピックアップを備え、前記光ピックアップが前記光ディスクの半径方向に稼動可能なスライダに備えられ、レーザ発光方向に対し垂直な面を持つ前記光ディスク全面を覆うカバーを備えた光ディスク装置において、前記光ディスクの視認のために、前記カバーの一部が可視化されており、前記カバーの前記可視化部分が、前記光ディスクの回転中心を中心にし、前記光ピックアップを備える前記スライダの稼動範囲に対し前記光ディスクの回転方向に９０度以上かつ２７０度以内に配置されていることを特徴とする光ディスク装置。
【請求項３】
光ディスクに情報を記録、もしくは前記光ディスクに記録された情報を再生するための光ピックアップを備え、前記光ピックアップが前記光ディスクの半径方向に稼動可能なスライダに備えられ、レーザ発光方向に対し垂直な面を持つ前記光ディスク全面を覆うカバーを備えた光ディスク装置において、前記光ディスクの視認のために、前記カバーの一部が可視化されており、前記カバーの前記可視化部分が、前記光ディスクの回転中心を中心にし、前記光ピックアップを備える前記スライダの稼動範囲に対し前記光ディスクの回転方向に９０度以上かつ１８０度以内に配置されていることを特徴とする光ディスク装置。
【請求項４】
光ディスクに情報を記録、もしくは前記光ディスクに記録された情報を再生するための光ピックアップを備え、前記光ピックアップが前記光ディスクの半径方向に稼動可能なスライダに備えられ、レーザ発光方向に対し垂直な面を持つ前記光ディスク全面を覆うカバーを備えた光ディスク装置において、前記光ディスクの視認のために、前記カバーの一部が可視化されており、前記カバーの前記可視化部分が、前記光ディスクの回転中心を中心にし、前記光ピックアップを備える前記スライダの稼動範囲に対し前記光ディスクの回転方向に１８０度以上かつ２７０度以内に配置されていることを特徴とする光ディスク装置。
【請求項５】
光ディスクに情報を記録、もしくは前記光ディスクに記録された情報を再生するための光ピックアップを備え、前記光ピックアップが前記光ディスクの半径方向に稼動可能なスライダに備えられ、レーザ発光方向に対し垂直な面を持つ前記光ディスク全面を覆うカバーを備えた光ディスク装置において、前記光ディスクの視認のために、前記カバーの一部が可視化されており、前記カバーの前記可視化部分が、前記光ディスクの回転中心を中心にし、前記光ピックアップを備える前記スライダの稼動範囲に対し前記光ディスクの回転方向に１８０度対向となるように配置されていることを特徴とする光ディスク装置。
【請求項６】
請求項１から５のいずれかに記載の光ディスク装置であって、前記光ディスクが前記光ディスク装置に装着され、前記スライダの稼動範囲内であって、少なくともレーザ光またはその散乱光が前記可視化部からの漏えいが抑止される位置で、前記光ピックアップが、前記光ピックアップからのレーザ発光により光ディスク判別、もしくは、レーザ発光とその反射光検出による前記光ディスク装置への装着光ディスクの有無判別を行うことを特徴とする光ディスク装置。
【請求項７】
請求項１から５のいずれかに記載の光ディスク装置であって、前記光ディスクが前記光ディスク装置に装着され、前記スライダの稼動範囲内であって、前記カバーの前記可視化部分から直線距離で最も遠ざかった位置で、前記光ピックアップが、前記光ピックアップからのレーザ光により光ディスク判別、もしくは、レーザ発光とその反射光検出による前記光ディスク装置への装着光ディスクの有無判別を行うことを特徴とする光ディスク装置。
【請求項８】
請求項６又は７に記載の光ディスク装置であって、ローディング開始時に、前記スライダが、前記スライダの稼動範囲内で前記光ディスクの内周方向に移動し、最内周位置検知後、前記スライダが、少なくともレーザ光またはその散乱光が前記可視化部からの漏えいが抑止される位置まで移動し、前記移動後位置にて前記光ピックアップが、前記光ピックアップからのレーザ発光により光ディスク判別、もしくは、レーザ発光とその反射光検出による前記光ディスク装置への装着光ディスクの有無判別を行うことを特徴とする光ディスク装置。
【請求項９】
請求項６又は７に記載の光ディスク装置であって、イジェクト時に、前記スライダが、前記スライダの稼動範囲内で前記光ディスクの内周方向に移動し、最内周位置検知後、前記スライダが、少なくともレーザ光またはその散乱光が前記可視化部からの漏えいが抑止される位置まで移動しており、ローディング開始時には、前記移動後位置にて前記光ピックアップが、前記光ピックアップからのレーザ発光により光ディスク判別、もしくは、レーザ発光とその反射光検出による前記光ディスク装置への装着光ディスクの有無判別を行うことを特徴とする光ディスク装置。
【請求項１０】
光ディスクに情報を記録、もしくは前記光ディスクに記録された情報を再生するための光ピックアップを備え、前記光ピックアップが前記光ディスクの半径方向に稼動可能なスライダに備えられ、レーザ発光方向に対し垂直な面を持つ前記光ディスク全面を覆うカバーを備えた光ディスク装置において、前記光ディスクの視認のために、前記カバーが可視化されており、前記光ピックアップからのレーザ発光により光ディスク判別、もしくは、レーザ発光とその反射光検出による前記光ディスク装置への装着光ディスクの有無判別を行う前記光ピックアップ位置にのみ、前記カバーがレーザ光またはその散乱光が前記可視化部からの漏えいが抑止されるカバーを有することを特徴とする光ディスク装置。
【請求項１１】
光ディスクに情報を記録、もしくは前記光ディスクに記録された情報を再生するための光ピックアップを備え、前記光ピックアップが前記光ディスクの半径方向に稼動可能なスライダに備えられ、レーザ発光方向に対し垂直な面を持つ前記光ディスク全面を覆うカバーを備えた光ディスク装置において、前記カバーの前記光ディスク覆い面の少なくとも前記光ピックアップの稼動範囲の一部を光非透過性の部材で構成すると共に、その他の部分を光透過性の部材で構成し、前記光ディスクの前記光ディスク装置への装着有無判別を前記光ピックアップからのレーザ発光の反射光により行う際に、前記スライダを操作して前記光非透過部に前記光ピックアップを配置して、前記レーザ反射光による装着有無判別を行うことを特徴とする光ディスク装置。
【請求項１２】
請求項１１に記載の光ディスク装置において、前記カバーの開閉機構もしくは前記光ディスクの前記カバー内外への移送機構によって構成される光ディスク装填手段と、前記装填手段の開閉検知手段とを具備し、前記開閉検知手段による前記装着手段の閉状態検知に基づいて、前記光ピックアップの前記光非透過部への配置を行い、レーザ反射光による装着ディスクに有無判別を行うことを特徴とする光ディスク装置。
【請求項１３】
請求項１１に記載の光ディスク装置において、前記カバーの開閉機構もしくは逆に前記光ディスクの前記カバー内外への移送機構によって構成される光ディスク装填手段と、前記装填手段の開閉検知手段とを具備し、前記開閉検知手段の開動作時に前記光ピックアップの前記光非透過部への配置を行い、前期開閉検知手段による前記装填手段の閉状態検知に基づいてレーザ反射光による装着光ディスクの有無判別を行うことを特徴とする光ディスク装置。
【請求項１４】
請求項１１から１３のいずれかに記載の光ディスク装置において、前記光透過部からのレーザ散乱光の漏えいが最も抑制される位置で、前記装着光ディスクの有無判別を行うことを特徴とする光ディスク装置。
【発明の詳細な説明】
【技術分野】
【０００１】
本発明は、光ディスクに情報を記録もしくは光ディスクに記録された情報を再生する光ディスク装置に関する。
【背景技術】
【０００２】
レーザ発光方向に対し垂直な光ディスク全体を覆うカバー部を持つ光ディスク装置内の光ディスクを可視化するにあたり、カバーの一部を透過性の部材とする必要がある。従来、この可視化部は特別な考慮がされていないため、光ピックアップと光ディスクを挟み対向する位置もしくは光ピックアップの稼動範囲上に設置される場合があった。
【０００３】
下記の特許文献１は、光ディスク装置の蓋体を開放したときに、光ピックアップから光ビームが発生するのを禁止する蓋体装置を開示している。
【特許文献１】実開平５−８６１０９号公報
【発明の開示】
【発明が解決しようとする課題】
【０００４】
従来の透過性のカバーの構成では、たとえば光ディスクを搭載するトレー部に光ディスクを搭載せずに、トレーを光ディスク装置に挿入した際に、光ピックアップからのレーザ光が、光ディスクの遮蔽がない状態で、光ピックアップ近傍に配置された光ディスク装置の可視化部を透過し、外部に漏えいしてしまい、ユーザに不快感を与え、目の損傷の危険を伴う課題があった。
本発明の目的は、上述した不具合を解消する光ディスク装置を提供するものである。
【課題を解決するための手段】
【０００５】
上述した目的を達成するために、本発明は、光ディスクに情報を記録、もしくは前記光ディスクに記録された情報を再生するための光ピックアップを備え、前記光ピックアップが前記光ディスクの半径方向に稼動可能なスライダに備えられ、レーザ発光方向に対し垂直な面を持つ前記光ディスク全面を覆うカバーを備えた光ディスク装置において、前記光ディスクの視認のために、前記カバーの一部が可視化されており、前記カバーの前記可視化部分が、前記レーザ発光部を備える前記スライダの稼動範囲外に配置する。
【０００６】
また、光ディスクに情報を記録、もしくは前記光ディスクに記録された情報を再生するための光ピックアップを備え、前記光ピックアップが前記光ディスクの半径方向に稼動可能なスライダに備えられ、レーザ発光方向に対し垂直な面を持つ前記光ディスク全面を覆うカバーを備えた光ディスク装置において、前記光ディスクの視認のために、前記カバーの一部が可視化されており、前記カバーの前記可視化部分が、前記光ディスクの回転中心を中心にし、前記光ピックアップを備える前記スライダの稼動範囲に対し前記光ディスクの回転方向に９０度以上かつ２７０度以内に配置する。
【０００７】
また、光ディスクに情報を記録、もしくは前記光ディスクに記録された情報を再生するための光ピックアップを備え、前記光ピックアップが前記光ディスクの半径方向に稼動可能なスライダに備えられ、レーザ発光方向に対し垂直な面を持つ前記光ディスク全面を覆うカバーを備えた光ディスク装置において、前記光ディスクの視認のために、前記カバーの一部が可視化されており、前記カバーの前記可視化部分が、前記光ディスクの回転中心を中心にし、前記光ピックアップを備える前記スライダの稼動範囲に対し前記光ディスクの回転方向に９０度以上かつ１８０度以内に配置する。
【０００８】
また、光ディスクに情報を記録、もしくは前記光ディスクに記録された情報を再生するための光ピックアップを備え、前記光ピックアップが前記光ディスクの半径方向に稼動可能なスライダに備えられ、レーザ発光方向に対し垂直な面を持つ前記光ディスク全面を覆うカバーを備えた光ディスク装置において、前記光ディスクの視認のために、前記カバーの一部が可視化されており、前記カバーの前記可視化部分が、前記光ディスクの回転中心を中心にし、前記光ピックアップを備える前記スライダの稼動範囲に対し前記光ディスクの回転方向に１８０度以上かつ２７０度以内に配置する。
【０００９】
また、光ディスクに情報を記録、もしくは前記光ディスクに記録された情報を再生するための光ピックアップを備え、前記光ピックアップが前記光ディスクの半径方向に稼動可能なスライダに備えられ、レーザ発光方向に対し垂直な面を持つ前記光ディスク全面を覆うカバーを備えた光ディスク装置において、前記光ディスクの視認のために、前記カバーの一部が可視化されており、前記カバーの前記可視化部分が、前記光ディスクの回転中心を中心にし、前記光ピックアップを備える前記スライダの稼動範囲に対し前記光ディスクの回転方向に１８０度対向となるように配置する。
【００１０】
さらには、前記光ディスクが前記光ディスク装置に装着され、前記スライダの稼動範囲内であって、少なくともレーザ光またはその散乱光が前記可視化部からの漏えいが抑止される位置で、前記光ピックアップが、前記光ピックアップからのレーザ発光により光ディスク判別、もしくは、レーザ発光とその反射光検出による前記光ディスク装置への装着光ディスクの有無判別を行う。
【００１１】
また、前記光ディスクが前記光ディスク装置に装着され、前記スライダの稼動範囲内であって、前記カバーの前記可視化部分から直線距離で最も遠ざかった位置で、前記光ピックアップが、前記光ピックアップからのレーザ光により光ディスク判別、もしくは、レーザ発光とその反射光検出による前記光ディスク装置への装着光ディスクの有無判別を行う。
【００１２】
さらには、ローディング開始時に、前記スライダが、前記スライダの稼動範囲内で前記光ディスクの内周方向に移動し、最内周位置検知後、前記スライダが、少なくともレーザ光またはその散乱光が前記可視化部からの漏えいが抑止される位置まで移動し、前記移動後位置にて前記光ピックアップが、前記光ピックアップからのレーザ発光により光ディスク判別、もしくは、レーザ発光とその反射光検出による前記光ディスク装置への装着光ディスクの有無判別を行う。
【００１３】
さらには、イジェクト時に、前記スライダが、前記スライダの稼動範囲内で前記光ディスクの内周方向に移動し、最内周位置検知後、前記スライダが、少なくともレーザ光またはその散乱光が前記可視化部からの漏えいが抑止される位置まで移動しており、ローディング開始時には、前記移動後位置にて前記光ピックアップが、前記光ピックアップからのレーザ発光により光ディスク判別、もしくは、レーザ発光とその反射光検出による前記光ディスク装置への装着光ディスクの有無判別を行う。
【００１４】
また、光ディスクに情報を記録、もしくは前記光ディスクに記録された情報を再生するための光ピックアップを備え、前記光ピックアップが前記光ディスクの半径方向に稼動可能なスライダに備えられ、レーザ発光方向に対し垂直な面を持つ前記光ディスク全面を覆うカバーを備えた光ディスク装置において、前記光ディスクの視認のために、前記カバーが可視化されており、前記光ピックアップからのレーザ発光により光ディスク判別、もしくは、レーザ発光とその反射光検出による前記光ディスク装置への装着光ディスクの有無判別を行う前記光ピックアップ位置のみ、前記カバーがレーザ光またはその散乱光が前記可視化部からの漏えいが抑止されるカバーを有する。
【００１５】
また、光ディスクに情報を記録、もしくは前記光ディスクに記録された情報を再生するための光ピックアップを備え、前記光ピックアップが前記光ディスクの半径方向に稼動可能なスライダに備えられ、レーザ発光方向に対し垂直な面を持つ前記光ディスク全面を覆うカバーを備えた光ディスク装置において、前記カバーの前記光ディスク覆い面の少なくとも前記光ピックアップの稼動範囲の一部を光非透過性の部材で構成すると共に、その他の部分を光透過性の部材で構成し、前記光ディスクの前記光ディスク装置への装着有無判別を前記光ピックアップからのレーザ発光の反射光により行う際に、前記スライダを操作して前記光非透過部に前記光ピックアップを配置して、前記レーザ反射光による装着有無判別を行う。
【００１６】
さらには、前記カバーの開閉機構もしくは前記光ディスクの前記カバー内外への移送機構によって構成される光ディスク装填手段と、前記装填手段の開閉検知手段とを具備し、前記開閉検知手段による前記装着手段の閉状態検知に基づいて、前記光ピックアップの前記光非透過部への配置を行い、レーザ反射光による装着ディスクに有無判別を行う。
【００１７】
さらには、前記カバーの開閉機構もしくは逆に前記光ディスクの前記カバー内外への移送機構によって構成される光ディスク装填手段と、前記装填手段の開閉検知手段とを具備し、前記開閉検知手段の開動作時に前記光ピックアップの前記光非透過部への配置を行い、前期開閉検知手段による前記装填手段の閉状態検知に基づいてレーザ反射光による装着光ディスクの有無判別を行う。
さらには、前記光透過部からのレーザ散乱光の漏えいが最も抑制される位置で、前記装着光ディスクの有無判別を行う。
【発明の効果】
【００１８】
これまで述べてきたように、本発明に係る光ディスク装置は、カバー可視化部を光ピックアップの稼動範囲から離れた位置に配置されることにより、空ローディング等の際に、光ピックアップから発光されるレーザ光のカバー可視化部からの漏えいが小さくなり、ユーザの不快感を払拭し、目の損傷も防止することができる。また、ローディング時の初期段階において、カバー可視化部から光ピックアップを稼動範囲内において、最も離れた位置に配置しておくことで、空ローディングの際に、光ピックアップから発光されるレーザ光のカバー可視化部からの漏えいが小さくなり、ユーザの不快感を払拭し、目の損傷も防止することができる。
【発明を実施するための最良の形態】
【００１９】
以下、本発明に係る光ディスク装置の１例を図面を参照し説明する。
図２は、本発明に係る光ディスク装置のシステムブロックの概要図である。光ディスク１はスピンドルモータ５０によって回転され、光ディスクの情報の読み書きは、光ピックアップ２に搭載されたレーザダイオード５１からのレーザ光によって行われる。光ピックアップはスライダモータ５２によって光ディスクの内周から外周まで移動する。光ディスク装置に光ディスクが装着され、図示しない光ディスクトレイもしくは光ディスクカバー等のローディング検知部５３でローディング検知スイッチ５４を押し、ローディング検知スイッチからの信号をきっかけとし、レーザの発光および光ディスクの回転が始まる。これら各種モータ及びレーザダイオード等はシステムバス６０を通じてドライブコントローラ６１により統合的に制御される。この際、光ディスク装置は、装着された光ディスクが読み取りのみ可能な光ディスクか、書き換え可能な光ディスクか、追加記録可能な光ディスクか、といった媒体種別判別を行い、装着された光ディスクに依存するサーボ制御値、記録レーザパワー等を得る各種調整、学習（以下、単に学習と称する）を経てユーザからの操作指示を待つ状態となる。（以下、これら一連の動作をローディングと称する）
【００２０】
光ディスク装置は、光ディスクへの異物接触を避ける等の目的で、カバーで光ディスク全面を覆うのが一般的である。このカバーは通常、光を透過しない単一の材質で構成されるが、多数種の光ディスク種別の内、どの種類の光ディスクが装着されているか直感的に把握するため、もしくは光ディスクが回転している様子をユーザが視認可能とするために、このカバーの一部が可視化されている光ディスク装置も存在する。
【００２１】
光ディスクを覆うカバーの一部が可視化され、光ディスク装置に光ディスクが装着されずに、ローディングが開始された場合には、光ディスクの判別のためにレーザが発光され、レーザ光を遮る光ディスクが存在しないため、カバーの可視化部より光ディスク装置の外部へレーザ光が漏えいすることにより、ユーザに不快感を与えるばかりか、眼に損傷を与えかねない。
【００２２】
そこで、本発明に係る光ディスク装置である図１に示すように、光ディスク１を覆うカバー４の可視化部５を光ピックアップ２の支持ガイド３による稼動範囲を避けるように配置することで、空ローディング時の可視化部からのレーザ光の漏えいを軽減できる。
【００２３】
また、図３に示すように、光ピックアップ２の支持ガイド３による稼動範囲に対し、光ディスク１の回転中心を中心とし、光ディスクの回転方向に９０度から２７０度の位置にカバー４の可視化部５を設置することで、空ローディング時の光ピックアップからのレーザ光の漏えいを、より軽減することができる。
【００２４】
また、図４、図５に示すように、光ピックアップ２の支持ガイド３による稼動範囲に対し、光ディスク１の回転中心を中心とし、光ディスクの回転方向に９０度から１８０度もしくは１８０度から２７０度の位置にカバー４の可視化部５を設置することで、空ローディング時の光ピックアップからのレーザ光の漏えいを、より軽減することができる。
【００２５】
また、図６に示すように、光ピックアップ２の支持ガイド３による稼動範囲に対し、光ディスク１の回転中心を中心とし、光ディスクの回転方向に１８０度の位置にカバー４の可視化部５を設置することで、空ローディング時の光ピックアップからのレーザ光の漏えいを、より軽減することができる。
【００２６】
図７の（１）は通常の光ディスク装置のローディング処理を示すフローである。光ディスク装置は高精度な光ピックアップの位置制御が必要となるため、まず、光ピックアップの稼動範囲内における光ディスク最内周側のゼロ基準位置を設定する必要がある。これは、光ディスクの内周に媒体種別を特定するディスク情報や、追記型光ディスクであれば、追記の状況、あるいは学習制御を行うためのテストエリアが内周にあるためである。光ディスク最内周側のゼロ基準位置の設定は、光ピックアップが光ディスクの最内周方向に向かって駆動され、ゼロ基準位置に設置された検知スイッチにて検知された位置をゼロ基準位置とされる。
【００２７】
以降、図７の（１）に示すフローにのっとってローディング動作を続行する。よって、通常、ローディング時間の短縮のため、光ピックアップは光ディスクの内周部側に配置された状態でローディング動作が始まる。したがって、カバーの可視化部が光ディスクの内周に近接して配置されている場合には、空ローディング時、特に最初の光ディスク装着有無判別を行うためのレーザ発光が必要なのでレーザ光の漏えいが発生してしまう。光ディスク装置に装着された光ディスクの有無判別は、光ディスクを回転させるスピンドルモータの起動時間等を測定する方法もあるが、光ディスクのサイズ、温度によるスピンドルモータの軸受けロスの変化など、判別を誤る要因も多く、レーザ反射光による判別が有効である。レーザ反射光による光ディスク装着の有無判別とカバーの可視化部へのレーザ光またはその散乱光が前記可視化部からの漏えいが抑止する方法を以下に示す。
【００２８】
本発明に係る光ディスク装置である図８に示すように、ローディング動作の初期段階において、カバー４の可視化部１に対し、光ピックアップ２を稼動範囲内で少なくともレーザ光またはその散乱光がカバー可視化部からの漏えいが抑止される位置に配置することで、空ローディング時のカバーの可視化部からのレーザ光の漏えいを軽減できる。また、カバー４の可視化部１に対し、光ピックアップ２を稼動範囲内で最も直線距離で離れた位置６に配置することで、空ローディング時のカバーの可視化部からのレーザ光の漏えいをより軽減できる。
【００２９】
この際、図７の（２）に示すようにローディング動作の初期段階においてまず、光ピックアップへの戻り光によって光ディスク装置への光ディスク装着の有無を判別し、光ディスクの装着が確認された場合に、光ピックアップはゼロ基準位置を検知する動作に移る。こうすることで、若干の時間的なロスはあるものの、従来と変わらないローディング動作とすることができる。
【００３０】
これまではローディング時のカバー可視化部へのレーザ光の漏えいについて、その解決のための手段を述べてきたが、本発明は以下のような場合にも有効である。
【００３１】
光ディスクは通常、大きく分けて、情報を記録する記録層と、光ディスクタイトルなどが記載されるレーベル層の２層からなっている。光ピックアップは、記録層へレーザ光の焦点を合わせ、データの読み書きを行うが、通常、光ピックアップ側からみて上層にあたるレーベル層は通常レーザ光を透過しないため、レーベル面側からレーザ光は視認できない。しかし、レーベル層の材質などによっては、記録層へ焦点のあったレーザ光がレーベル面に透過してレーザ光がレーベル面側から漏えいする光ディスクも存在する。このような光ディスクを使用した場合に、レーベル面からの漏えいするレーザ光がさらにカバーの可視化部から光ディスク装置外部へ漏えいすることとなり、光ディスクへの通常の情報の記録再生の際にも、カバー可視化部へのレーザ光の漏えいが課題となる。このような課題に対してもこれまで述べてきた解決策は有効である。
【図面の簡単な説明】
【００３２】
【図１】本発明に係る光ディスク装置の一実施の形態を示す図。
【図２】本発明に係る光ディスク装置のシステムブロックを示す概略図。
【図３】本発明に係る光ディスク装置の一実施の形態を示す図。
【図４】本発明に係る光ディスク装置の一実施の形態を示す図。
【図５】本発明に係る光ディスク装置の一実施の形態を示す図。
【図６】本発明に係る光ディスク装置の一実施の形態を示す図。
【図７】本発明に係る光ディスク装置のローディングフローを示す図。
【図８】本発明に係る光ディスク装置の一実施の形態を示す図。
【符号の説明】
【００３３】
１…光ディスク
２…光ピックアップ
３…光ピックアップガイド
４…光ディスク装置のカバー
５…光ディスク装置カバーの可視化部
６…光ピックアップの位置
５０…スピンドルモータ
５１…レーザダイオード
５２…スライダモーダ
５３…ローディング検知部
５４…ローディング検知スイッチ
６０…システムバス
６１…ドライブコントローラ
【図１】
2005116018.tif 000003
【図２】
2005116018.tif 000004
【図３】
2005116018.tif 000005
【図４】
2005116018.tif 000006
【図５】
2005116018.tif 000007
【図６】
2005116018.tif 000008
【図７】
2005116018.tif 000009
【図８】
2005116018.tif 000010